(57)【要約】【課題】簡単な構成によって機器毎の色変換パラメータを得る。【解決手段】入力された第１の色画像信号を第２の色画像信号に変換する画像処理回路１４と、前記第１の色画像信号から第２の色画像信号への変換に要する変換パラメータの算出用のテスト信号を発生するテスト信号発生手段５と、通常表示モード時には通常表示のための表示データを選択し、テストモード時には前記テスト信号を選択して出力する選択手段１６と、前記選択手段からの信号に基づく表示を行う表示部とを具備したことを特徴とする。【選択図】図４
2007147696.tif 000002
【特許請求の範囲】
【請求項１】
入力された第１の色画像信号を第２の色画像信号に変換する画像処理回路と、
前記第１の色画像信号から第２の色画像信号に変換する際に前記第２の色画像信号に適
用する変換パラメータを算出するためのテスト信号を発生するテスト信号発生手段と、
通常表示モード時には前記第２の色画像信号を表示データとして選択するとともにテス
トモード時には前記テスト信号を選択して出力する選択手段と、
前記選択手段からの前記表示データまたは前記テスト信号に基づいて表示を行う表示部
と、
を具備したことを特徴とする電気光学装置。
【請求項２】
前記テスト信号発生手段は、前記表示データを供給する表示コントローラによって構成
されることを特徴とする請求項１に記載の電気光学装置。
【請求項３】
前記テスト信号発生手段は、前記テスト信号を記憶する記憶手段によって構成されるこ
とを特徴とする請求項１に記載の電気光学装置。
【請求項４】
前記テスト信号の書込みクロックを発生するとともに前記選択手段に供給する発振回路
を更に具備したことを特徴とする請求項３に記載の電気光学装置。
【請求項５】
前記第１の色画像信号は、赤系、緑系及び青系の３色画像信号であり、
前記第２の色画像信号は、４色以上の多色画像信号であることを特徴とする請求項１に
記載の電気光学装置。
【請求項６】
入力された第１の色画像信号を第２の色画像信号に変換する画像処理回路と、前記画像
処理回路によって変換された第２の色画像信号に基づいて表示を行う表示部とを具備した
電気光学装置に対して、前記第１の色画像信号から第２の色画像信号に変換する際に、前
記第２の色画像信号に適用する変換パラメータを算出するためのテスト信号を前記画像処
理回路の処理を経ることなく前記表示部に供給して画像表示を行わせる手順と、
前記表示部の表示光を測定する手順と、
前記測定結果に基づいて前記テスト信号に基づく表示色を所定の目標色空間にマッピン
グする手順と、
前記マッピングに基づいて、前記第１の色画像信号から第２の色画像信号への変換の変
換パラメータを求める手順と、
前記変換パラメータを前記画像処理回路に設定する手順とを具備したことを特徴とする
色変換パラメータ設定方法。
【発明の詳細な説明】
【技術分野】
【０００１】
本発明は、多色カラーフィルタによって色再現性を向上させるようにした電気光学装置
及び色変換パラメータ設定方法に関する。
【背景技術】
【０００２】
従来より、一般に、液晶表示装置その他の各種の電気光学装置では、カラー表示を可能
とするために、カラーフィルタが設けられている。このカラーフィルタは、例えば、画素
毎に異なる複数色、例えば、赤、緑、青の着色層のいずれか一つを配置し、これらの複数
色の着色層を所定のパターンで配列させて構成されている。このような着色層は、例えば
、顔料や染料などの着色材を含む感光性樹脂を用いたフォトリソグラフィ法で形成される
。
【０００３】
また、屋内や車内などの比較的暗い環境では、電気光学装置の背後にバックライトを配
置し、このバックライトの光によって視認可能となる透過表示を実現し、さらに、屋外な
どの明るい場所ではバックライトを消灯して外光によって視認可能となる反射表示を実現
するタイプの表示装置も知られている。このタイプの装置では、各画素内に、光を透過す
る光透過領域と、光を反射する光反射領域とをそれぞれ設け、光透過領域を用いて上記透
過表示を実現し、光反射領域を用いて上記反射表示を実現している（例えば、特許文献１
参照）。
【特許文献１】特開２００２−２５８０２９号公報
【発明の開示】
【発明が解決しようとする課題】
【０００４】
ところで、従来、色の３原色に対応したＲ，Ｇ，Ｂの３色カラーフィルタが多用されて
いる。しかしながら、３色カラーフィルタでは色の再現性が必ずしも十分でないことがあ
る。そこで、近年、多色（例えば４色）のカラーフィルタを採用した電気光学装置も開発
されている。
【０００５】
しかし、電気光学装置に入力される映像信号としては、Ｒ，Ｇ，Ｂ３原色の映像信号が
採用されることが多い。そこで、３色映像信号を例えば４色映像信号に変換する色変換回
路が採用される。色変換回路は、３色色空間と４色色空間同士の座標変換を行うことで、
３色映像信号を４色映像信号に変換している。
【０００６】
ところが、カラーフィルタの透過率特性が色毎に相違することや、パックライトの点灯
の有無、バックライトの特性の相違等の理由から、３色映像信号から４色映像信号への最
適な変換パラメータは装置毎に異なる。しかしながら、各装置に最適な変換パラメータを
求めるためには、多色カラーフィルタを採用した電気光学装置の各色毎の透過率特性を各
装置毎に求める必要があり、最適なパラメータを機器毎に求めることは容易ではない。
【０００７】
本発明は、簡単な構成で色変換のための変換パラメータを機器毎に求めることができる
電気光学装置及び色変換パラメータ設定方法を提供することを目的とする。
【課題を解決するための手段】
【０００８】
本発明に係る電気光学装置は、入力された第１の色画像信号を第２の色画像信号に変換
する画像処理回路と、前記第１の色画像信号から第２の色画像信号に変換する際に前記第
２の色画像信号に適用する変換パラメータを算出するためのテスト信号を発生するテスト
信号発生手段と、通常表示モード時には前記第２の色画像信号を表示データとして選択す
るとともにテストモード時には前記テスト信号を選択して出力する選択手段と、前記選択
手段からの前記表示データまたは前記テスト信号に基づいて表示を行う表示部と、を具備
したことを特徴とする。
【０００９】
このような構成によれば、テスト信号発生手段は、第１の色画像信号から第２の色画像
信号に変換する際の変換パラメータの算出用のテスト信号を発生する。このテスト信号は
選択手段に与えられる。選択手段は、通常表示モード時には第２の色画像信号を表示デー
タとして選択し、テストモード時にはテスト信号を選択して出力する。表示部は、選択手
段からの信号に基づく表示を行う。このように、簡単な構成で、表示部においてテスト信
号に基づく表示が可能であり、第１の色画像信号から第２の色画像信号への色変換の色変
換パラメータを算出することができる。即ち、色変換パラメータを機器毎に求めることが
容易であり、各機器に最適な色変換パラメータを画像処理回路に設定することができる。
これにより、画像処理回路は、各機器に最適な色変換が可能であり、色の再現性を向上さ
せることができる。
【００１０】
また、本発明の一態様によれば、前記テスト信号発生手段は、前記表示データを供給す
る表示コントローラによって構成されることを特徴とする。
【００１１】
このような構成によれば、表示コントローラから通常表示のための表示データとテスト
信号とが得られる。選択手段は、これらの信号を通常モード時とテストモード時とで切換
えて出力する。これにより、簡単な構成で、色変換パラメータを得るためのテスト信号に
基づく表示が可能である。
【００１２】
また、本発明の一態様によれば、前記テスト信号発生手段は、前記テスト信号を記憶
する記憶手段によって構成されることを特徴とする。
【００１３】
このような構成によれば、記憶手段からテスト信号が出力されるので、通常表示のため
の表示データの伝送経路に影響を与えることなくテスト信号を選択して出力することがで
きる。これにより、例えば通常表示のための表示データを外部回路から供給する場合にお
いて、外部回路の構成として一般的な構成を採用することができる。
【００１４】
また、本発明の一態様によれば、前記テスト信号の書込みクロックを発生するととも
に前記選択手段に供給する発振回路を更に具備したことを特徴とする。
【００１５】
このような構成によれば、記憶手段からテスト信号を出力する場合において、このテス
ト信号の表示部への書込みに必要な書込みクロックを外部回路から供給する必要はなく、
外部回路として一般的な構成を採用することができる。
【００１６】
また、本発明の一態様によれば、前記第１の色画像信号は、赤系、緑系及び青系の３
色画像信号であり、前記第２の色画像信号は、４色以上の多色画像信号であることを特徴
とする。
【００１７】
このような構成によれば、３色画像信号から４色以上の多色画像信号への変換パラメー
タを機器毎に設定することができ、色再現性に優れた表示が可能である。
【００１８】
本発明に係る色変換パラメータ設定方法は、入力された第１の色画像信号を第２の色画
像信号に変換する画像処理回路と、前記画像処理回路によって変換された第２の色画像信
号に基づいて表示を行う表示部とを具備した電気光学装置に対して、前記第１の色画像信
号から第２の色画像信号に変換する際に、前記第２の色画像信号に適用する変換パラメー
タを算出するためのテスト信号を前記画像処理回路の処理を経ることなく前記表示部に供
給して画像表示を行わせる手順と、前記表示部の表示光を測定する手順と、前記測定結果
に基づいて前記テスト信号に基づく表示色を所定の目標色空間にマッピングする手順と、
前記マッピングに基づいて、前記第１の色画像信号から第２の色画像信号への変換の変換
パラメータを求める手順と、前記変換パラメータを前記画像処理回路に設定する手順とを
具備したことを特徴とする。
【００１９】
このような構成によれば、先ず、第２の色画像信号のテスト信号を画像処理回路の処理
を経ることなく表示部に供給する。そしてテスト信号に基づく画像表示の表示光を測定す
る。この測定結果に基づいて、テスト信号に基づく表示色を目標色空間にマッピングし、
マッピング結果に基づいて、第１の色画像信号から第２の色画像信号への変換の変換パラ
メータを求める。求めた変換パラメータを画像処理回路に設定する。これにより、機器毎
に、画像処理回路に変換パラメータが設定されることになり、各機器の特性に応じた最適
な色再現性を得ることができる。
【発明を実施するための最良の形態】
【００２０】
以下、図面を参照して本発明の実施の形態について詳細に説明する。図１は本発明の第
１の実施の形態に係る電気光学装置を示す回路図である。本実施の形態は電気光学装置と
してＴＦＴ基板を用いた液晶パネルに適用したものである。図２は図１の電気光学装置の
概観を示す説明図である。図３はアクティブマトリクス基板であるＴＦＴ基板と対向基板
とを貼り合わせて液晶を封入する組立工程終了後の液晶パネルの模式的な断面を示す断面
図である。なお、上記各図においては、各層や各部材を図面上で認識可能な程度の大きさ
とするため、各層や各部材毎に縮尺を異ならしめてある。
【００２１】
＜第１の実施の形態＞
本実施の形態に係る電気光学装置は、図１に示すように、液晶パネル３０及びテスト信
号発生手段としてのＬＣＤコントローラ５によって構成されている。液晶パネル３０は、
電気光学物質である液晶を用いた表示領域１０ａ、この表示領域１０ａに表示用のデータ
及び各種制御信号等を供給する駆動回路３０１、走査線駆動回路４０１及びデータ線駆動
回路５００によって構成される。駆動回路３０１、走査線駆動回路４０１及びデータ線駆
動回路５００によって、ドライバ部３５が構成され、図２に示すように、ドライバ部３５
及び表示領域１０ａは、液晶パネル３０上に構成される。また、ＬＣＤコントローラ５は
基板３１上に搭載されて、液晶パネル３０を構成するＴＦＴ基板３２と基板３１相互間は
、ＦＰＣ（Flexible Printed Circuit）基板３６によって接続されている。ＦＰＣ基板３
６によって、ＬＣＤコントローラ５からのデータ信号やコマンド等の各種信号がドライバ
部３５に供給されるようになっている。
【００２２】
液晶パネル３０の表示領域１０ａは、Ｘ方向に延在する複数の走査線１１２とＹ方向に
延在する複数のデータ線１１４との各交差に対応して、画素１１０が構成される。表示領
域１０ａをＴＦＴ液晶パネルによって構成した場合には、各画素１１０には図示しないＴ
ＦＴ及び画素電極９ａ（図３参照）が形成される。ＴＦＴは走査線１１２を介して供給さ
れる走査信号によってオン，オフし、データ線１１４を介して供給されるデータを画素電
極９ａに印加する。
【００２３】
次に、図３を参照して液晶パネルの全体構成について説明する。図１の表示領域１０ａ
、走査線駆動回路４０１及びデータ線駆動回路５００は、図３のＴＦＴ基板３２上に構成
される。
【００２４】
液晶パネル３０は、図３に示すように、例えば、石英基板、ガラス基板、シリコン基板
からなるＴＦＴ基板３２と、これに対向配置される、例えばガラス基板や石英基板からな
る対向基板３３との間に液晶３４を封入して構成される。対向配置されたＴＦＴ基板３２
と対向基板３３とは、シール材５２によって貼り合わされている。
【００２５】
ＴＦＴ基板３２上は、上述した走査線１１２及びデータ線１１４が設けられると共に、
これらの交差に対応してＴＦＴ（図示せず）が設けられる。また、ＴＦＴ基板３２上には
画素を構成する画素電極（ＩＴＯ）９ａ等がマトリクス状に配置される。ＴＦＴ基板３２
の画素電極９ａ上には、配向処理が施された配向膜３７が設けられている。
【００２６】
一方、対向基板３３には、ＴＦＴ基板３２のデータ線１１４、走査線１１２及びＴＦＴ
の形成領域に対向する領域、即ち各画素の非表示領域において第１遮光膜２３が設けられ
ている。この第１遮光膜２３によって、対向基板３３側からの入射光がＴＦＴのチャネル
領域、ソース領域及びドレイン領域に入射することが防止される。
【００２７】
また、対向基板３３には表示領域１０ａを区画する額縁としての遮光膜５３が設けられ
ている。対向基板３３上及び第１遮光膜２３上に、カラーフィルタ（ＣＦ）層５１が略全
面に亘って形成されている。ＣＦ層５１上には図示しない保護膜層が形成されている。
【００２８】
ＣＦ層５１は、各画素電極９ａに対応した位置及び大きさで赤，緑，青，シアンに着色
された有機着色膜であり、各着色部分が画素を構成する。保護膜層は、ＣＦ層５１を保護
するため及び各着色部分の厚さの相違を吸収して平坦化するために設けられた有機膜であ
る。
【００２９】
この保護膜層上に対向電極（共通電極）２１が基板２０の略全面に亘って形成されてい
る。対向電極２１上にポリイミド系の高分子樹脂からなる配向膜２２が積層され、所定方
向にラビング処理されている。
【００３０】
各層が形成されたＴＦＴ基板３２と対向基板３３とは、例えば対向基板３３の４辺に沿
ってシール材５２を形成すると共に、シール材５２の４隅に図示しない上下導通材を形成
して、配向膜３７及び２２が対面するようにシール材５２により貼り合わされる。
【００３１】
そして、ＴＦＴ基板３２と対向基板３３との間に液晶３４が封入されている。この構成
において、ＴＦＴは走査信号に応じてオンとなり、データ線１１４から供給される画像信
号を画素電極９ａに書き込む。書き込まれた画素電極９ａと対向電極２１との電位差に応
じて液晶３４の分子集合の配向や秩序が変化して、光を変調し、階調表示を可能にする。
【００３２】
液晶パネル３０のＴＦＴ基板３２の一面には、バックライトとして機能する照明装置４
０が配置されている。照明装置４０は、例えば、光源を構成する複数の発光ダイオード（
以下、ＬＥＤという）４１と導光板４２とによって構成される。ＬＥＤ４１からの光は導
光板４２内に導かれ、導光板４２の底面及び側面の反射層によって反射、散乱し、導光板
４２の上面から出射される。即ち、照明装置４０は、ＴＦＴ基板３２の下方から光を出射
する。こうして、照明装置４０の上方に配置された液晶パネル３０にバックライト光が入
射されるようになっている。
【００３３】
シール材５２の外側の領域には、外部回路との接続のための外部接続端子１０２及びド
ライバ部３５が設けられている。この外部接続端子１０２には、ＦＰＣ基板３６が圧着さ
れ、ＦＰＣ基板３６を介してＬＣＤコントローラ５から信号が供給されるようになってい
る。ＬＣＤコントローラ５は、表示用の画像データ（表示データ）、水平同期信号Ｈｓ、
垂直同期信号Ｖｓ及びドットクロック信号ＤＬＣＫ等をドライバ部３５の駆動回路３０１
に供給する。
【００３４】
本実施の形態においては、ＬＣＤコントローラ５は、色変換のための変換パラメータを
求めるためのテスト信号を出力することができるようになっている。ＬＣＤコントローラ
５は、カラーフィルタ層５１を構成する各着色部分に対応する色の任意のテスト信号を出
力することができる。例えば、ＬＣＤコントローラ５は、テスト信号として、Ｒ，Ｇ，Ｂ
，Ｃの各色の画像信号を任意の階調で個別に出力したり、Ｒ，Ｇ，Ｂ，Ｃの全色を１００
％階調又は０％階調で出力したりすることができるようになっている。
【００３５】
駆動回路３０１は、外部から供給された垂直同期信号Ｖｓ、水平同期信号Ｈｓ及びドッ
トクロックＤＣＬＫに基づいて、各種タイミング信号を生成する。例えば、駆動回路３０
１は、データ転送クロックやデータイネーブル信号等のデータ供給タイミング信号を生成
してデータ線駆動回路５００に出力する。また、駆動回路３０１は、走査スタートパルス
ＤＹ及び走査側転送クロックＣＬＹ等を生成して走査線駆動回路４０１に出力する。
【００３６】
走査線駆動回路４０１は、走査スタートパルスＤＹが入力されることにより、走査信号
を各走査線１１２に順次出力する。なお、走査側転送クロックＣＬＹは、走査側の走査速
度を規定する信号で、この転送クロックに同期して走査信号が順次各走査線１１２に送ら
れる。
【００３７】
また、本実施の形態においては、駆動回路３０１は、表示用のデータ及びテスト信号を
切換えて、データ線駆動回路５００に出力することができるようになっている。データ線
駆動回路５００は、データ供給タイミング信号に基づくタイミングで、表示用のデータ又
はテスト信号を各データ線１１４に供給する。例えば、データ線駆動回路５００は、デー
タイネーブル信号に基づいて、図示しないシフトレジスタに保持された表示用のデータ又
はテスト信号を水平画素数分並列に出力させるタイミングを決定する。また、データ線駆
動回路５００は、転送クロックに基づいて、各データ線に対応したデータラッチ回路のサ
ンプリングタイミングを決定する。
【００３８】
図４は図１中の駆動回路３０１の具体的な構成を示すブロック図である。
【００３９】
駆動回路３０１は、ＬＣＤコントローラ５からの表示データ及び各種制御信号の他に、
色変換パラメータを求めるためのテスト信号を受信する。駆動回路３０１は、インターフ
ェースコントロール回路（以下、Ｉ／Ｆコントロール回路という）１２と、コマンド制御
回路１３と、画像処理回路１４と、パラメータメモリ１５と、選択手段としてのセレクタ
回路１６とを含んで構成される。
【００４０】
Ｉ／Ｆコントロール回路１２には、ＬＣＤコントローラ５からの画像データ等が入力さ
れる。Ｉ／Ｆコントロール回路１２は、入力された画像データ等を所定の単位、例えば８
ビット毎にコマンド制御回路１３に出力する。
【００４１】
コマンド制御回路１３には、表示データ及び各種制御信号並びに色変換パラメータを求
めるためのテスト信号が入力される。コマンド制御回路１３は、これらの信号を画像処理
回路１４及びセレクタ回路１６に出力する。
【００４２】
コマンド制御回路１３には、モード信号も与えられる。モード信号は通常の表示モード
と色変換パラメータを求めるためのテストモードとを切換えるための信号である。コマン
ド制御回路１３は、モード信号に応じた切換信号をセレクタ回路１６に出力する。また、
モード信号によって表示モードが指定された場合には、コマンド制御回路１３は、入力さ
れた表示データの画像処理を画像処理回路１４に指示する。また、モード信号によってテ
ストモードが指定された場合には、コマンド制御回路１３は、セレクタ回路１６に切換信
号を出力して、コマンド制御回路１３からの信号を、画像処理回路１４を経ることなく、
直接出力させるようになっている。
【００４３】
画像処理回路１４は、３色、すなわちＲＧＢ（赤系、緑系、青系）画像信号を含む表示
データを、４色の画像信号に変換する色変換回路を含む。この場合には、画像処理回路１
４は、パラメータメモリ１５から色変換パラメータを読み出し、この色変換パラメータに
基づいて色変換を行うようになっている。
【００４４】
画像処理回路１４の出力はセレクタ回路１６に供給される。セレクタ回路１６は、コマ
ンド制御回路１３の切換信号が与えられ、通常表示モード時には画像処理回路１４の出力
を選択し、テストモード時にはコマンド制御回路１３からのテスト信号を選択して出力す
る。
【００４５】
セレクタ回路１６の出力はデータ線駆動回路５００のラッチ回路１７に供給される。ラ
ッチ回路１７にストアされた表示データ又はテスト信号は、表示領域１０ａ内の各画素に
書き込まれるようになっている。
【００４６】
図５は色変換パラメータを取得するためのテスト装置の構成を示すブロック図である。
図５の例は、図１の電気光学装置と同一構成の電気光学装置を含む電子機器について、色
変換パラメータを求める場合の構成を示している。なお、色変換パラメータは、カラーフ
ィルタ及びバックライトを含み光学系の構成に応じて変化するので、電子機器としては実
機と同様の光学系を構成した方がよい。
【００４７】
テスト装置は、変換パラメータを求める対象となる電気光学装置を含む電子機器６０、
計測器６１、演算装置６２及び書込み装置６３によって構成される。電子機器６０には、
例えば図２に示す液晶パネル３０及び基板３１（図５では図示省略）が内蔵されている。
計測器６１は、電子機器６０に内蔵された液晶パネル３０の表示領域１０ａの表示の輝度
及び色度を計測する。計測器６１の計測結果は演算装置６２に供給される。
【００４８】
演算装置６２は、計測結果に対する所定の演算によって、色変換の変換パラメータを算
出する。演算装置６２は算出した色変換パラメータを書込み装置６３に与える。書込み装
置６３は、入力された色変換パラメータを駆動回路３０１に設けたパラメータメモリ１５
に書き込んで記憶させるようになっている。
【００４９】
次に、このように構成された実施の形態の動作について図６を参照して説明する。図６
は横軸に波長をとり縦軸に透過率をとって、Ｒ（赤），Ｇ（緑），Ｂ（青），Ｃ（シアン
）の各色毎の透過率特性を示すグラフである。
【００５０】
いま、色変換パラメータを設定するためのテストモードが指示されるものとする。この
場合には、図４のコマンド制御回路１３には、テストモードを示すモード信号が供給され
る。ＬＣＤコントローラ５は、テスト信号を出力する。このテスト信号は、液晶パネル３
０のドライバ部３５内の駆動回路３０１に供給される。駆動回路３０１内のＩ／Ｆコント
ロール回路１２は、入力されたテスト信号をコマンド制御回路１３に出力する。
【００５１】
コマンド制御回路１３は、テストモードが指示されており、入力されたテスト信号をセ
レクタ回路１６に出力すると共に、セレクタ回路１６にコマンド制御回路１３の出力を選
択させるための切換信号を出力する。
【００５２】
これにより、セレクタ回路１６はテスト信号をデータ線駆動回路５００のラッチ回路１
７に出力する。ラッチ回路１７はテスト信号を保持し、表示領域１０ａ内の各画素１１０
に供給する。こうして、各画素１１０はテスト信号に応じて駆動され、液晶３４の透過率
を変化させる。
【００５３】
ＬＣＤコントローラ５は、テスト信号として、Ｒ，Ｇ，Ｂ，Ｃ独立に、任意のパターン
の信号を設定することができる。例えば、ＬＣＤコントローラ５は、テスト信号として、
図６の曲線Ｒ，Ｇ，Ｂ，Ｃにて夫々示すＲのみの信号、Ｇのみの信号、Ｂのみの信号又は
Ｃのみの信号を出力することができる。また、ＬＣＤコントローラ５は、これらの各出力
を各種階調で出力することができる。また、例えば、ＬＣＤコントローラ５は、テスト信
号として、Ｒ，Ｇ，Ｂ，Ｃが１００％階調の白信号を出力すると共に、Ｒ，Ｇ，Ｂ，Ｃが
０％階調の黒信号を出力する。
【００５４】
ＬＣＤコントローラ５からのテスト信号は、画像処理回路１４において画像処理される
ことなく、そのまま各画素に供給される。こうして、表示領域１０ａにはテスト信号に応
じたパターンが表示される。
【００５５】
図５の計測器６１は、表示領域１０ａ上の輝度及び色度を計測する。即ち、計測器６１
によって、各画素をＲ信号によって駆動した場合の輝度及び色度、各画素をＧ信号によっ
て駆動した場合の輝度及び色度、各画素をＢ信号によって駆動した場合の輝度及び色度又
は各画素をＣ信号によって駆動した場合の輝度及び色度を得ることができる。更に、各画
素をＲ，Ｇ，Ｂ，Ｃを用いて白表示したは場合又は黒表示した場合の輝度及び色度を求め
ることができる。
【００５６】
計測器６１からの計測結果は演算装置６２に与えられる。演算装置６２は、計測器６１
の計測結果を用いた所定の演算によって、３色から多色への色変換に用いる変換パラメー
タを求める。例えば、Ｒ，Ｇ，Ｂ３色からＲ，Ｇ，Ｂ，Ｃ４色への色変換パラメータの算
出に際して、演算装置６２は、先ず、計測結果から白が得られるテスト信号Ｒ，Ｇ，Ｂ，
Ｃを求める。そして、この白のデータを、目標とする表示の色空間（目標色空間）にマッ
ピングする。演算装置６２は、マッピング結果に基づいて変換パラメータを求める。
【００５７】
演算装置６２は、下記（１）式の演算によって、４色色空間上の各色Ｒ’，Ｇ’，Ｂ’
，Ｃ’を定義する。なお、ｆ１〜ｆ４は、３原色Ｒ，Ｇ，Ｂに基づく関数である。
【００５８】
Ｒ’＝ｆ１（Ｒ，Ｇ，Ｂ）
Ｇ’＝ｆ２（Ｒ，Ｇ，Ｂ）
Ｂ’＝ｆ３（Ｒ，Ｇ，Ｂ）
Ｃ’＝ｆ４（Ｒ，Ｇ，Ｂ）      …（１）
駆動回路３０１内の画像処理回路１４は、上記（１）式の演算を行うものであり、入力
Ｒ，Ｇ，Ｂ信号に基づいて、出力Ｒ’，Ｇ’，Ｂ’，Ｃ’信号を得る。演算装置６２は、
上記（１）式の逆演算によって、画像処理回路１４が行う演算の変換パラメータを求める
。
【００５９】
演算装置６２は求めた変換パラメータを書込み装置６３に与える。書込み装置６３は、
入力された変換パラメータを駆動回路３０１内のパラメータメモリ１５に書き込んで記憶
させる。
【００６０】
このように、色変換パラメータの算出には、変換先の色信号で駆動した場合における透
過率特性を、装置毎に調べる必要がある。本実施の形態においては、ＬＣＤコントローラ
５がＲ，Ｇ，Ｂ，Ｃのテスト信号を任意の階調及び組み合わせで出力することができ、ま
た、駆動回路３０１内にこのテスト信号を直接出力するためのセレクタ回路１６等の仕組
みを備えており、極めて簡単な構成によって、各機器毎の色変換パラメータの算出を可能
にしている。
【００６１】
ここで、通常の表示モードが指定されるものとする。この場合には、ＬＣＤコントロー
ラ５は通常のＲ，Ｇ，Ｂ表示データ及び各種制御信号を出力する。ＬＣＤコントローラ５
からの表示データ等は、駆動回路３０１に供給される。駆動回路３０１のコマンド制御回
路１３は、表示データ及び各種制御信号を画像処理回路１４に与えると共に、モード信号
に応じて、セレクタ回路１６に画像処理回路１４の出力を選択させる。
【００６２】
画像処理回路１４は、パラメータメモリ１５から色変換に用いるパラメータを読み出し
て、入力されたＲ，Ｇ，Ｂ信号を４色Ｒ，Ｇ，Ｂ，Ｃ信号に変換して出力する。セレクタ
回路１６は４色Ｒ，Ｇ，Ｂ，Ｃ信号をデータ線駆動回路５００のラッチ回路１７に出力す
る。こうして、表示領域１０ａには、最適な色変換パラメータによってＲ，Ｇ，Ｂ，Ｃ信
号に変換された表示データが供給される。
【００６３】
色変換パラメータは、実際の計測結果に基づいて設定されており、表示領域１０ａの画
像は、極めて良好な色再現性を有して表示される。しかも、本実施の形態では、各機器毎
に色変換パラメータを求めており、いずれの種類の電気光学装置であっても、良好な色再
現性が得られる。
【００６４】
このように本実施の形態においては、簡単な構成で、入力された例えばＲ，Ｇ，Ｂ，Ｃ
信号等の多色のテスト信号に基づく表示を可能にしており、機器毎に色変換パラメータを
求めることを容易に実現することができ、機器の種類に拘わらず、最適な色再現性を得る
ことができる。
【００６５】
＜第２の実施の形態＞
図７は本発明の第２の実施の形態に係る電気光学装置に採用される駆動回路の具体的な
構成を示すブロック図である。図７において図４と同一の構成要素には同一符号を付して
説明を省略する。
【００６６】
本実施の形態は駆動回路３０１に代えて、パターンメモリ７１及び発振回路７２を付加
した駆動回路３０２を採用した点が第１の実施の形態と異なる。
【００６７】
パターンメモリ７１には、色変換の変換パラメータの算出に必要なテストパターンが保
持されている。色変換の変換パラメータの算出に必要なテストパターンは既知である。従
って、この既知のテストパターンをパターンメモリ７１に保持すれば、テストパターンを
液晶パネルの外部のＬＣＤコントローラから供給する必要はない。パターンメモリ７１か
らのテスト信号はセレクタ回路１６に供給される。
【００６８】
また、表示領域１０ａ（図１参照）においてテストパターンを表示させるためには、各
種書込みクロックが必要となる。通常の表示時には、書込みクロック等はＬＣＤコントロ
ーラから供給される。本実施の形態においては、発振回路７２においてこの書込みクロッ
クを発生してセレクタ回路１６に供給するようになっている。
【００６９】
セレクタ回路１６は、通常の表示モード時の切換信号が供給された場合には、画像処理
回路１４からの表示用のデータを選択して出力する。一方、セレクタ回路１６は、テスト
モード時の切換信号が供給された場合には、パターンメモリ７１からのテスト信号及び発
振回路７２からの書込みクロックを選択して出力するようになっている。
【００７０】
このように構成された実施の形態においては、テストモードが指示されると、コマンド
制御回路１３は、セレクタ回路１６にテストモード時の切換信号を出力する。これにより
、セレクタ回路１６は、パターンメモリ７１からのテスト信号と発振回路７２からの書込
みクロックとを選択して出力する。これらのテスト信号及び書込みクロックは、データ線
駆動回路５００（図１参照）内のラッチ回路１７に供給される。こうして、テスト信号に
基づく画像が表示領域１０ａに表示される。
【００７１】
このように、本実施の形態においては、駆動回路内にテストパターンを保持するメモリ
と書込みクロックの発振回路を備えていることから、テストモード時には、外部からテス
ト用の信号を供給する必要はない。これにより、液晶パネルの外部回路として、通常の表
示用のデータのみを供給する一般的な回路を採用することが可能である。
【００７２】
他の作用及び効果は第１の実施の形態と同様である。
【００７３】
ところで、上記各実施の形態においては、４色としてＲ，Ｇ，Ｂ，Ｃの例について説明
した。本発明はこれらの色に限定されるものではなく、種々の色や５色以上の色にも適用
させることができる。例えば、先に説明した赤（Ｒ）、青（Ｂ）、緑（Ｇ）及びシアン（
Ｃ）をそれぞれ、以下に説明するような赤系の色相の着色領域（Ｒ）、青系の色相の着色
領域（Ｂ）及び青から黄までの色相の中で選択された２種の色相の着色領域（Ｇ及びＣ）
に適用しても良い。
【００７４】
４色の着色領域は、波長に応じて色相が変化する可視光領域（３８０−７８０ｎｍ）の
うち、青系の色相の着色領域、赤系の色相の着色領域と、青から黄までの色相の中で選択
された２種の色相の着色領域からなる。ここで系と用いているが、例えば青系であれば純
粋の青の色相に限定されるものでなく、青紫や青緑等を含むものである。赤系の色相であ
れば、赤に限定されるものでなく橙を含む。また、これら着色領域は単一の着色層で構成
されても良いし、複数の異なる色相の着色層を重ねて構成されても良い。また、これら着
色領域は色相で述べているが、当該色相は、彩度、明度を適宜変更し、色を設定し得るも
のである。
【００７５】
具体的な色相の範囲は、
青系の色相の着色領域は、青紫から青緑であり、より好ましくは藍から青である。
【００７６】
赤系の色相の着色領域は、橙から赤である。
【００７７】
青から黄までの色相で選択される一方の着色領域は、青から緑であり、より好ましく
は青緑から緑である。
【００７８】
青から黄までの色相で選択される他方の着色領域は、緑から橙であり、より好ましく
は緑から黄である。もしくは緑から黄緑である。
【００７９】
ここで、各着色領域は、同じ色相を用いることはない。例えば、青から黄までの色相で
選択される２つの着色領域で緑系の色相を用いる場合は、他方は一方の緑に対して青系も
しくは黄緑系の色相を用いる。
【００８０】
これにより、従来のRGBの着色領域よりも広範囲の色再現性を実現することができる。
【００８１】
広範囲の色再現性を色相で述べたが、以下に、着色領域を透過する波長で表現する。
【００８２】
青系の着色領域は、波長のピークが４１５−５００ｎｍにある着色領域、好ましくは
、４３５−４８５ｎｍにある着色領域である。
【００８３】
赤系の着色領域は、波長のピークが６００ｎｍ以上にある着色領域で、好ましくは、
６０５ｎｍ以上にある着色領域である。
【００８４】
青から黄までの色相で選択される一方の着色領域は、波長のピークが４８５−５３５
ｎｍにある着色領域で、好ましくは、４９５−５２０ｎｍにある着色領域である。
【００８５】
青から黄までの色相で選択される他方の着色領域は、波長のピークが５００−５９０
ｎｍにある着色領域、好ましくは５１０−５８５ｎｍにある着色領域、もしくは５３０−
５６５ｎｍにある着色領域である。
【００８６】
この波長は、透過表示の場合は、照明装置からの照明光がカラーフィルタを通して得ら
れた数値である。反射表示の場合は、外光を反射して得られた数値である。
【００８７】
他の具体的な例として、、ｘ、ｙ色度図で表現する。
【００８８】
青系の着色領域は、ｘ≦0.151、ｙ≦0.200にある着色領域であり、好ましくは、0.134
≦ｘ≦0.151、0.034≦ｙ≦0.200にある着色領域である。
【００８９】
赤系の着色領域は、0.520≦ｘ、ｙ≦0.360にある着色領域であり、好ましくは、0.55
0≦ｘ≦0.690、0.210≦ｙ≦0.360にある着色領域である。
【００９０】
青から黄までの色相で選択される一方の着色領域は、ｘ≦0.200、0.210≦ｙにある着
色領域であり、好ましくは、0.080≦ｘ≦0.200、0.210≦ｙ≦0.759にある着色領域である
。
【００９１】
青から黄までの色相で選択される他方の着色領域は、0.257≦ｘ、0.450≦ｙにある着色
領域であり、好ましくは、0.257≦ｘ≦0.520、0.450≦ｙ≦0.720にある着色領域である。
【００９２】
このｘ、ｙ色度図は、透過表示の場合は、照明装置からの照明光がカラーフィルタを通
して得られた数値である。反射表示の場合は、外光を反射して得られた数値である。
【００９３】
これら４色の着色領域は、サブ画素に透過領域と反射領域を備えた場合、透過領域及
び反射領域も上述した範囲で適用することができるものである。
【００９４】
上記４色の着色領域の構成の例として、以下のものがあげられる。
【００９５】
色相が、赤、青、緑、シアン（青緑）の着色領域
色相が、赤、青、緑、黄の着色領域
色相が、赤、青、深緑、黄の着色領域
色相が、赤、青、エメラルド、黄の着色領域
色相が、赤、青、深緑、黄緑の着色領域
色相が、赤、青緑、深緑、黄緑の着色領域
また、本発明の電気光学装置は、アクティブマトリクス型の液晶パネル（例えば、ＴＦ
Ｔ（薄膜トランジスタ）やＴＦＤ（薄膜ダイオード）をスイッチング素子として備えた液
晶表示パネル）だけでなく、パッシブマトリクス型の液晶表示パネルにも同様に適用する
ことができる。また、液晶表示パネルだけでなく、エレクトロルミネッセンス装置、有機
エレクトロルミネッセンス装置、プラズマディスプレイ装置、電気泳動ディスプレイ装置
、電子放出を用いた装置（Field Emission Display 及び Surface-Conduction Electron-
Emitter Display 等）、ＤＬＰ（Digital Light Processing）（別名ＤＭＤ：Digital Mi
cromirror Device）等の各種の電気光学装置においても本発明を同様に適用することが可
能である。
【００９６】
また、本発明は、半導体基板に素子を形成する表示用デバイス、例えばＬＣＯＳ（Liqu
id Crystal On Silicon）等にも適用可能である。
【００９７】
ＬＣＯＳでは素子基板として単結晶シリコン基板を用い、画素や周辺回路に用いるスイ
ッチング素子としてトランジスタを単結晶シリコン基板に形成する。また、画素には反射
型の画素電極を用い、画素電極の下層に画素の各素子を形成する。
【図面の簡単な説明】
【００９８】
【図１】本発明の第１の実施の形態に係る電気光学装置を示す回路図。
【図２】図１の電気光学装置の概観を示す説明図。
【図３】アクティブマトリクス基板であるＴＦＴ基板と対向基板とを貼り合わせて液晶を封入する組立工程終了後の液晶パネルの模式的な断面を示す断面図。
【図４】図１中の駆動回路３０１の具体的な構成を示すブロック図。
【図５】色変換パラメータを取得するためのテスト装置の構成を示すブロック図。
【図６】横軸に波長をとり縦軸に透過率をとって、Ｒ（赤），Ｇ（緑），Ｂ（青），Ｃ（シアン）の各色毎の透過率特性を示すグラフ。
【図７】本発明の第２の実施の形態に係る電気光学装置に採用される駆動回路の具体的な構成を示すブロック図。
【符号の説明】
【００９９】
５…ＬＣＤコントローラ、１３…コマンド制御回路、１４…画像処理回路、１５…パ
ラメータメモリ、１６…セレクタ回路、６２…演算装置、６３…書込み装置、３０１…駆
動回路。  
【図１】
2007147696.tif 000003
【図２】
2007147696.tif 000004
【図３】
2007147696.tif 000005
【図４】
2007147696.tif 000006
【図５】
2007147696.tif 000007
【図６】
2007147696.tif 000008
【図７】
2007147696.tif 000009